(57)【要約】【課題】安価な設備で異物付着の少ない高品質のフィルムを生産する。【解決手段】イオン風吹き出し口であるスリット２０とフィルムロール１２の表面との距離Ｙ〔ｍ〕、スリット２０のイオン風吹き出し幅Ｘ〔ｍ〕、及びフィルム幅Ａ〔ｍ〕の関係を、下記の式で規定することによって、フィルムロール１２の帯電を抑え、異物付着を少なくする。Ｘ≧Ａ（０．４Ｙ＋０．７６）〔ｍ〕また、Ｙを０．６ｍ以上３．０ｍ以下とし、スリット２０から吹き出されるイオン風の風速を５ｍ／ｓ以上３０ｍ／ｓ以下とし、フィルム巻き取り部の湿度を５０％以上９０％以下とすることで、さらに異物付着を少なくする。【選択図】　　　　図１
2004107059.tif 000002
【特許請求の範囲】
【請求項１】
ポリマーフィルムをロール状に巻き取るフィルム巻き取り部で、除電器によりイオンを発生させ、前記イオンをフィルム表面に吹きつけてフィルムの除電を行う方法において、前記除電器のイオン風吹き出し口とフィルム表面との距離、前記除電器のイオン風吹き出し幅、及びフィルム幅の関係が、下記の式で表されることを特徴とするポリマーフィルムの巻き取り方法。
Ｘ≧Ａ（０．４Ｙ＋０．７６）〔ｍ〕
Ｘ：イオン風吹き出し幅〔ｍ〕、Ｙ：イオン風吹き出し口とフィルム表面との距離〔ｍ〕、Ａ：フィルム幅〔ｍ〕
【請求項２】
前記除電器のイオン風吹き出し口とフィルム表面との距離が０．６ｍ以上３．０ｍ以下であることを特徴とする請求項１記載のポリマーフィルムの巻き取り方法。
【請求項３】
前記除電器から吹き出されるイオン風の風速が５ｍ／ｓ以上３０ｍ／ｓ以下であることを特徴とする請求項１または２記載のポリマーフィルムの巻き取り方法。
【請求項４】
前記フィルム巻き取り部の湿度が５０％以上９０％以下であることを特徴とする請求項１ないし３いずれか１つ記載のポリマーフィルムの巻き取り方法。
【発明の詳細な説明】
【０００１】
【発明の属する技術分野】
本発明は、ポリマーフィルムの巻き取り方法に関するものである。
【０００２】
【従来の技術】
セルロースアシレートフィルム、特にセルロースアセテートフィルムは、電子ディスプレイ用途、写真支持体用途、その他光学用途として、広く用いられている。特に近年の電子ディスプレイ用途の急速な拡大から、これらのフィルムはますます薄膜化が求められており、さらに生産性を上げることが必要となってきている。
【０００３】
セルロースアシレートフィルムは、一般的に溶液流延法で製造される。この溶液流延法では、セルロースアシレートを可塑剤、ＵＶ吸収剤、滑り剤その他添加剤とともに溶媒に溶かして濃厚溶液とし、これをダイからバンド、ドラムのような無端支持体に流延し、溶媒を乾燥させて固化させて支持体から剥ぎ取り、さらに乾燥させてフィルムを製造する。
【０００４】
生産速度がますます速くなるにしたがい、製品巻き取り部では、同伴エアーにより安定した巻き取りが難しくなる。この同伴エアーを排除する手段として、フィルムを巻き取る際にレイオンロールによりフィルムを巻芯側に押圧することが行われている。このレイオンロールを用いる方法では、フィルムとレイオンロールの接触及び剥離により巻き取られたフィルムが帯電し、空気中を浮遊する異物を静電気により吸い寄せてしまい、異物故障の原因となっていた。
【０００５】
この異物故障を防止するために、印加式除電器によりイオンを発生させ、送風機を使用して発生させたイオンを製品としてのロール状フィルム表面及び巻き取られるフィルムに直接当てて除電する方法が知られている。また、特許文献１では、対向電極を離れたところに設置することで、風を使わずに広範囲の除電を行う方法が開示されている。
【０００６】
【特許文献１】
特開平９−６３７８９号公報（２頁、３頁）
【０００７】
【発明が解決しようとする課題】
しかしながら、送風式除電器では除電器と製品との距離が遠いとイオン風が拡散して製品に当たるイオン濃度が低下し、除電能力が低下するため、ターレット装置を有する巻き取り部に設置するには、製品と除電器との距離を一定に保つための複雑な設備が必要になりコストがかかる。また、特許文献１にあるような風を使わないタイプの除電器であっても、ターレット装置を有する巻き取り部に設置するにはコストがかかり、また電極位置が遠くなるために除電能力が低下してしまう。
【０００８】
本発明は、上記問題点を解決するためのものであり、安価で簡単な設備によりフィルムロールの帯電を抑えることによって高品質で異物故障のないポリマーフィルムを製造することを目的とする。
【０００９】
【課題を解決するための手段】
上記目的を達成するために、本発明のポリマーフィルムの巻き取り方法は、除電器のイオン風吹き出し口とフィルム表面との距離、前記除電器のイオン風吹き出し幅、及びフィルム幅の関係が、下記の式で表されるものである。
Ｘ≧Ａ（０．４Ｙ＋０．７６）〔ｍ〕
Ｘ：イオン風吹き出し幅〔ｍ〕、Ｙ：イオン風吹き出し口とフィルム表面との距離〔ｍ〕、Ａ：フィルム幅〔ｍ〕
【００１０】
なお、前記除電器のイオン風吹き出し口とフィルム表面との距離を０．６ｍ以上３．０ｍ以下とすることが好ましい。また、前記除電器から吹き出されるイオン風の風速を５ｍ／ｓ以上３０ｍ／ｓ以下とすることが好ましい。また、前記フィルム巻き取り部の湿度を５０％以上９０％以下とすることが好ましい。
【００１１】
【発明の実施の形態】
図１は本発明を実施したターレット型のフィルム巻き取り装置及び除電器の構成を示す概略図である。巻芯１０にポリマーフィルム１１が巻き取られてゆくことによって、フィルムロール１２となる。ポリマーフィルム１１は製膜設備２１によって連続的に製造され本発明のフィルム巻き取り装置に送られてくる。
【００１２】
フィルムロール１２に接触して回転するように、レイオンロール１３が回転自在に取り付けられ、図示しない押圧機構によって、ポリマーフィルム１１を巻芯１０側に押圧するように構成されている。これにより、ポリマーフィルム１１の巻き取りの際に、フィルム１１に同伴するエアーを排除することができる。
【００１３】
巻芯１０はターレット装置１４のターレットアーム１５に回転自在に取り付けられている。そして、フィルムロール１２が満巻になると、ターレット軸１６が１８０度回転し、満巻のフィルムロール１２の巻芯１０が図中左側の巻芯交換位置にセットされ、他方の巻芯１０が図中右側のフィルム巻き取り位置にセットされる。このとき、図示しないフィルムカッタ及びフィルム巻き付け機が作動して、切断したフィルムを新たな巻芯１０に巻き付けることで、フィルムが連続的に巻き取られてゆく。
【００１４】
フィルムロール１２の除電方法として、送風式除電器が用いられる。この送風式除電器は、送風ヘッド１７内に収められているイオン発生器１８によってイオンを発生させ、送風機１９から図示しない通風ダクトを通して風を送り、スリット２０からイオン風をフィルムロール１２に向かって放出するものである。このとき、放出されたイオン風が拡散することなくフィルムロール１２に当たるよう、送風ヘッド１７はフィルムロール１２に向けて傾けて配置されている。イオン風吹き出し口であるスリット２０からフィルムロール１２の表面までの距離をＹ〔ｍ〕とする。
【００１５】
図２は、送風ヘッド１７及びスリット２０を示す平面図である。送風ヘッド１７の底面には、イオン風吹き出し口として縦幅４ｍｍのスリット２０が６本設けられている。このスリット２０の横幅をＸ〔ｍ〕とする。なお、スリット２０の縦幅は４ｍｍに限定されないが、縦幅が大きすぎると風の方向性が乱れて除電効率が低下するため、スリットの縦幅は２ｍｍ以上１０ｍｍ以下が好ましく、４ｍｍ以上６ｍｍ以下がさらに好ましい。また、スリットの本数は６本に限定されず、設置スペース、除電スペースに応じて、任意に変えることができる。
【００１６】
図３は、ポリマーフィルム１１及びフィルムロール１２を示す側面図である。巻き取られるポリマーフィルム１１及びポリマーフィルムを巻き取ったフィルムロール１２のフィルム幅をＡ〔ｍ〕とする。
【００１７】
なお、送風式除電器の配置は図１に限定されるものではなく、図４のようにフィルムロール１２の下側からイオン風を吹き付けることもできる。この場合、送風ヘッド２７内に収められているイオン発生器２８によってイオンを発生させ、送風機２９から図示しない通風ダクトを通して風を送り、スリット３０からイオン風をフィルムロール１２に向かって吹き上げる。
【００１８】
また、図５のようにイオン風の一部を巻き取り前のポリマーフィルム１１に吹き付けることによって、より効果的にフィルムロール１２の帯電を抑えることができる。また、送風ヘッドを傾けるかわりに、スリットにフィンを設けることによってイオン風の吹き出し方向を調節してもよい。この場合、送風ヘッド３７内に設けられたイオン発生器３８によってイオンを発生させ、送風機３９から図示しない通風ダクトを通して風を送り、フィンが備えられたスリット４０から、風向きが調整されたイオン風をフィルムロール１２及びポリマーフィルム１１に向かって吹き付ける。
【００１９】
なお、Ｙの範囲は０．６ｍ以上２．５ｍ以下が好ましく、０．６ｍ以上２．０ｍ以下がさらに好ましい。また、除電器のイオン風の風速は８ｍ／ｓ以上２０ｍ／ｓ以下が好ましい。また、フィルム巻き取り部の湿度は６０％以上８０％以下が好ましく、６５％以上７５％以下がさらに好ましい。
【００２０】
また、送風式除電器の構成は本実施形態に限定されるものではなく、例えばイオン発生器の配置は送風ヘッド内に限らず、送風機からイオン風吹き出し口の間のいずれの場所に配置してもよい。また、本発明はターレット型のフィルム巻き取り部に限らず、他の形式のフィルム巻き取り部にも適用することができる。
【００２１】
なお、本発明が適用されるフィルムの材質は問わないが、例示すれば、セルローストリアセテート等のセルロースアセテート、ポリエチレンテレフタレート、ポリエチレンナフタレート等のポリエステル等のプラスチックフィルム等である。製品として巻き取ったフィルムロールは、幅が６００〜３５００ｍｍ程度、通常１０００〜１６００ｍｍ程度であり、厚みが２５〜２５０μｍ程度、通常３０〜１００μｍ程度であり、巻き取り長が５００〜１００００ｍ程度、通常２０００〜６０００ｍ程度である。
【００２２】
また、巻き取るポリマーフィルムの両耳部（両側縁部）には、周知のように突起や凹みなどからなるナーリングが付されるが、このナーリング形状も特に限定されることなく、種々の形状の使用が可能である。
【００２３】
【実施例】
以下、実施例を挙げて本発明を詳細に説明するが、本発明は下記実施例に限定されない。
【００２４】
［実施例１］
図１ないし図３に示したフィルム巻き取り装置において、レイオンロール１３を使用して、セルロースアセテートフィルムの巻き取りを実施した。Ｘ＝１．６００〔ｍ〕、Ｙ＝１．０００〔ｍ〕、Ａ＝１．３３６〔ｍ〕であった。イオン風の風速は６ｍ／ｓで、フィルム巻き取り部の湿度は６５％であった。
【００２５】
［実施例２］
Ｘ＝１．９００〔ｍ〕、Ｙ＝１．５００〔ｍ〕とし、イオン風の風速を１６ｍ／ｓとした他は、実施例１と同様にフィルムの巻き取りを実施した。
【００２６】
［比較例１］
Ｘ＝１．５００〔ｍ〕、Ｙ＝１．０００〔ｍ〕とし、イオン風の風速を６ｍ／ｓとした他は、実施例１と同様にフィルムの巻き取りを実施した。
【００２７】
［比較例２］
イオン風の風速を４ｍ／ｓとした他は、実施例１と同様にフィルムの巻き取りを実施した。
【００２８】
［比較例３］
フィルム巻き取り部の湿度を４０％とした他は、実施例１と同様にフィルムの巻き取りを実施した。
【００２９】
［フィルムロールの評価］
実施例１、２、及び比較例１〜３で、セルロースアセテートフィルムを巻き取って形成されたフィルムロール１２について、それぞれ品質評価を行った。以下、帯電量、異物付着の各評価項目について説明する。
【００３０】
［帯電量の評価］
帯電量の測定は、シシド静電気（株）製：ＳＴＡＴＩＲＯＮ−ＤＺ３　を使用して行った。なお、帯電量が少ないほどフィルムロール１２は優れていると評価される。帯電量の測定結果から、表１にしたがって格付け評価を行った。
【００３１】
【表１】
2004107059.tif 000003
【００３２】
［異物付着の評価］
フィルムロールの表面１周に巻き込まれている異物の個数を、フィルムロールにストロボスコープ光を当て、目視で検査した。なお、異物付着個数は少ないほうが好ましい。異物付着個数の測定結果から、表２にしたがって格付け評価を行った。
【００３３】
【表２】
2004107059.tif 000004
【００３４】
［フィルムロールの総合評価］
実施例１、２、及び比較例１〜３で形成されたそれぞれのフィルムロール１２について、上記各評価項目の判定に基づいて、表３に示す総合評価を行った。
【００３５】
【表３】
2004107059.tif 000005
【００３６】
このように、実施例においては、帯電および異物付着について良好な結果が得られた。一方、比較例においては良好な結果を得ることができなかった。
【００３７】
【発明の効果】
以上説明したように、本発明のポリマーフィルムの巻き取り方法によれば、除電器のイオン風吹き出し口とフィルム表面との距離、前記除電器のイオン風吹き出し幅、及びフィルム幅の関係を、請求項１の式によって規定したので、安価な設備で、異物付着の少ない高品質のフィルムを生産することが可能になる。
【００３８】
また、除電器のイオン風吹き出し口とフィルム表面との距離を０．６ｍ以上３．０ｍ以下とし、除電器から吹き出されるイオン風の風速を５ｍ／ｓ以上３０ｍ／ｓ以下とし、フィルム巻き取り部の湿度を５０％以上９０％以下と規定したので、さらに異物付着の少ない、高品質のフィルムを生産することが可能になる。
【図面の簡単な説明】
【図１】本発明を実施したフィルム巻き取り部及び除電器の概略図である。
【図２】送風ヘッド及びスリットを示す正面図である。
【図３】ポリマーフィルム及びフィルムロールを示す正面図である。
【図４】本発明の別の実施形態を示す概略図である。
【図５】本発明の別の実施形態を示す概略図である。
【符号の説明】
１１　ポリマーフィルム
１２　フィルムロール
１８　イオン発生器
１９　送風機
２０　スリット
【図１】
2004107059.tif 000006
【図２】
2004107059.tif 000007
【図３】
2004107059.tif 000008
【図４】
2004107059.tif 000009
【図５】
2004107059.tif 000010